(57)【要約】【課題】電力消費機器の消費電力を目標電力にする電力調整中に、電力計測が停止した場合も電力調整を制御可能にする。【解決手段】遠隔制御装置１は、電力計測手段４、目標電力入力手段５、電力調整記憶手段６、電力計測異常検知手段７、電力調整手段８とを備え、電力計測異常検知手段７による電力計測手段４が異常中は、電力調整記憶手段６による異常検知前の電力調整運転にてにて制御をすることにより、電力消費機器の電力消費が目標電力となるように運転制御することになるので、消費電力の超過を防止する。【選択図】図１ 
2005192316.tif 000002
【特許請求の範囲】
【請求項１】
複数台の電力消費機器と、電力消費機器が消費した電力量を計測する電力
計測手段と、目標電力を入力する目標電力入力手段と、前記電力消費機器を目標電力となるように制御を行なう電力調整手段と、前記電力調整手段による電力消費機器の運転制御を記憶する電力調整記憶手段と、前記電力計測手段からの電力量の計測が途切れたことを検知する電力計測異常検知手段とを備え、前記電力調整手段は所定時間ごとに電力消費機器を目標電力入力手段により設定された電力となるように電力調整を行い、その制御途中において電力計測異常検知手段により電力量の計測が途切れた場合は、電力計測手段からの電力量による電力調整制御を中止し、電力調整記憶手段により記憶された異常検知前の電力調整制御を行い、電力計測異常検知手段による電力計測手段の異常が解除した場合は、電力調整手段による電力調整制御を復帰させることを特徴とする遠隔制御装置。
【請求項２】
電力調整タイマーを設け、電力計測異常検知手段による電力計測手段による異常検知中は、前記電力調整タイマーにより電力消費機器の運転をタイマー時間の間、制御させることを特徴とする、請求項１記載の遠隔制御装置。
【請求項３】
電力調整ケジュール手段と前記電力調整ケジュール手段のスケジュール時間を任意に設定するスケジュール設定手段を設け、予めスケジュール設定手段により電力調整スケジュール手段による電力調整時間を設定しておき、電力計測異常検知手段による電力計測手段による異常検知中は、前記電力調整スケジュール手段により消費電力機器の運転制御を行うことを特徴とする、請求項１記載の遠隔制御装置。
【請求項４】
消費電力機器の定格消費電力を設定する消費電力設定手段を設け、電力計測異常検知手段による電力計測手段の異常検知中は、前記消費電力設定手段により設定された消費電力から、運転中の電力消費機器の現在の電力量を算出し、目標電力入力手段により設定された電力量となるように電力調整を行うことを特徴とする、請求項１記載の遠隔制御装置。
【請求項５】
消費電力機器の運転台数を制限する運転台数制限手段を設け、電力計測異常検知手段による電力計測手段の異常検知中は、前記運転台数制限手段により、運転中の消費電力機器の台数を制限することにより、電力消費機器の現在の電力量が目標電力を超過しないように電力調整を行うことを特徴とする、請求項１記載の遠隔制御装置。
【発明の詳細な説明】
【技術分野】
【０００１】
本発明は、機器の遠隔制御装置に関するものである。
【背景技術】
【０００２】
従来、この種の遠隔制御装置では、例えば図５に記載された遠隔制御装置があった。
【０００３】
図５において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空調機１１０を制御する制御信号出力部１０８とを備えた複数の端末機１０３を設け端末機１０３は中央装置１０１と伝送線１０２を介して接続され中央装置１０１は端末機１０３からの電力算出手段１０５のシリアル信号を受け電力を集計し空調機１１０の制御命令を出していた（例えば、特許文献１参照）。
【特許文献１】特開昭６２−２２９５０号公報
【発明の開示】
【発明が解決しようとする課題】
【０００４】
しかしながら、上記従来の構成では、最大需要電力を削減するために遠隔制御装置により電力算出手段１０５からの電力計測値をもとに目標電力になるように空調機１１０を制御していた。この場合、電力量に対する発信装置付電力量計１０９からの電力量パルスの送信が途切れた場合は、制御対象機器の空調機１１０は運転を継続した状態となり、目標電力を超えるおそれがあるといった課題を有していた。
【０００５】
本発明は、上記従来の課題を解決するものであり、複数台の電力消費機器の最大需要電力が目標電力になるように電力消費機器を所定時間毎に電力調整運転を行っている途中にて、電力量に対する発信装置付電力量計１０９からの電力量が途切れた場合でも、目標電力を超えないように電力消費機器の電力調整制御を一時的に行う制御手段を備えた遠隔制御装置を提供するものである。
【課題を解決するための手段】
【０００６】
上記課題を解決するため、本発明の遠隔制御装置は、複数台の電力消費機器の消費電力を、電力計測手段により計測し、目標電力入力手段により入力された目標電力になるように電力消費機器を所定時間毎に発停あるいは能力制御により電力調整制御を行い、電力調整制御中において、電力計測手段による電力量の送信が途切れたことを検知する電力計測異常検知手段と、電力調整記憶手段を設け、電力計測手段による電力量の送信が途切れた場合は、制御対象機器の空調機１１０の運転が目標電力となるように、電力調整記憶手段に基づく電力調整制御運転を行うものである。これによって、電力計測手段による電力量の送信が停止した場合でも目標電力の超過を防止することができる。
【０００７】
また、本発明の遠隔制御装置は、電力計測手段による電力量の送信が復帰した場合は、電力調整制御手段に復帰させることにより、本来の電力調整制御を行うものである。これにより電力計測手段からの電力量の送信が停止した場合でも、電力調整制御が継続して行うことが出来るので、電力制御不能による目標電力の超過を防止することができることになる。
【０００８】
また、本発明の遠隔制御装置は、電力計測手段からの電力量の送信が停止中は、電力調整タイマーにより消費電力機器の運転制御を強制して行うことにより、目標電力の超過を防止するものである。
【０００９】
また、本発明の遠隔制御装置は、電力計測手段からの電力量の送信が停止中は、電力調整ケジュール手段により消費電力機器の運転制御を強制して行うことにより、目標電力の超過を防止するものである。
【００１０】
また、本発明の遠隔制御装置は、電力計測手段からの電力量の送信が停止中は、消費電力設定手段により消費電力機器の運転制御を強制して行うことにより、目標電力の超過を防止するものであり、電力計測手段からの電力量が送信されない場合でも消費電力を抑えることができる。
【発明の効果】
【００１１】
本発明の遠隔制御装置は、複数台の電力消費機器の最大需要電力が目標電力になるように発停あるいは能力制御中に、電力計測手段からの電力量の送信が停止した場合でも、空調機等の電力消費機器の運転制御を継続することにより、消費電力機器の使用電力量が目標電力の範囲内となるように、電力計測手段からの電力量の送信が復帰するまで運転制御を維持して電力超過を防止することができる。
【発明を実施するための最良の形態】
【００１２】
第１の発明は、複数台の電力消費機器と、電力消費機器が消費した電力量を計測する電力計測手段と、目標電力を入力する目標電力入力手段と、前記電力消費機器を目標電力となるように制御を行なう電力調整手段と、前記電力調整手段による目標電力の制御内容を記憶する電力調整記憶手段と、前記電力調整手段による電力消費機器の制御中に、電力計測手段からの電力量の送信がされたことを検知する電力計測異常検知手段とを備え、電力調整手段は、一定時間ごとに電力消費機器を目標電力入力手段により設定された電力となるように電力調整を行うが、その制御途中において電力計測異常検知手段により電力計測手段の異常を検知した場合、電力計測手段からの電力量の計測を中止し、電力調整記憶手段による運転制御を行い、電力計測異常検知手段からの異常解除まで電力調整記憶手段による運転制御を継続するもので、この構成をなすことにより、電力計測手段からの電力量の送信が停止した場合でも、電力超過を防止することができる。
【００１３】
第２の発明は、電力調整復タイマーを設け、電力調整運転中に電力計測異常異常検知手段により電力計測手段の電力量の送信に異常が発生した場合には、直ちに電力調整タイマーによる運転制御を行うもので、この構成をなすことにより、電力計測手段からの電力量の送信が停止した場合でも、電力超過を防止することができる。
第３の発明は、電力調整スケジュール手段を設け、電力調整運転中に電力計測異常検知手段により電力計測手段の電力量の送信に異常が発生した場合には、直ちに電力調整スケジュール手段により任意に設定されたスケジュール運転制御を行うもので、この構成をなすことにより、電力計測手段からの電力量の送信が停止した場合でも、電力超過を防止することができる。
【００１４】
第４の発明は、消費電力設定手段を設け、電力調整運転中に電力計測異常検知手段により電力計測手段の電力量の送信に異常が発生した場合には、消費電力設定手段により設定された消費電力機器の消費電力と運転中の台数から現在の電力量を算出して、現在の電力量とすることにより電力調整制御を行うもので、この構成をなすことにより、電力計測手段からの電力量の送信が停止した場合でも、電力超過を防止することができる。
第５の発明は、運転台数制限手段を設け、電力調整運転中に電力計測異常検知手段により
電力計測手段の電力量の送信に異常が発生した場合には、運転台数制限手段により消費電力機器の運転台数を制限して運転制御するもので、この構成をなすことにより、電力計測手段からの電力量の送信が停止した場合でも、電力超過を防止することができる。
【００１５】
以下、本発明の実施の形態について図面を参照しながら説明する。尚、この実施の形態によって本発明が限定されるものではない。
【００１６】
（実施の形態１）
図１は、本発明の実施の形態１における遠隔制御装置１のブロック図を示すものである。図1において、遠隔制御装置１は、電力計測手段４、目標電力入力手段５、電力調整記憶手段６、電力計測異常検知手段７、電力調整手段８、複数台の電力消費機器２Ａ、２Ｂ、・・・、２Ｎからなる。目標電力入力手段５は、最大需要電力を削減するための目標電力（例：１００ｋＷ）を入力する。電力計測手段４は、前記電力消費機器２Aから２Nの消費電力を計測する。電力調整手段８は、電力消費機器２の電力を電力計測手段４にて計測し、電力調整時間（３０分）ごとの平均電力が目標電力となるように、一定時間（１分）ごとに目標電力と予測目標電力とを比較する。電力調整手段８は、一定時間ごとの運転時の消費電力合計（例：１１０ｋＷ）が目標電力（例：１００ｋＷ）になるように信号線３を介して複数の前記電力消費機器２へ発停あるいは能力制御信号を送り、順次発停あるいは能力制御を行う。この制御中に、電力計測異常検知手段７による電力量の送信が停止した場合には、電力調整記憶手段６より記憶された前回の電力調整時間内に置ける運転制御に従って電力消費機器２を制御することにより、目標電力内になるように制御を継続する。
【００１７】
遠隔制御装置１は、電力計測手段４、電力計測異常検知手段７、電力調整手段８、電力調整タイマー９から構成されている。以降この動作を繰り返す。
【００１８】
以上のように構成された遠隔制御装置は、電力計測手段４により計測された消費電力から、複数台の電力消費機器２を、目標電力入力手段５により入力された目標電力になるように複数台の電力消費機器２を、一定時間ごとに順次発停あるいは能力制御するが、電力計測異常検知手段７により電力計測手段４による電力量の送信が中断された場合には、電力調整制御を一時中止し、電力調整記憶手段６より記憶された前回の電力調整時間内に置ける運転制御に従って電力消費機器２を制御することにより、目標電力を超過しないよう運転制御を継続する。
【００１９】
（実施の形態２）
図２は、本発明の実施の形態２における遠隔制御装置のブロック図である。同図において、図１と同じ構成要素については同じ符号を用い説明を省略する。
【００２０】
前記電力計測手段４からの電力量の送信が停止したことを検知する電力計測異常検知手段７と電力調整タイマー９を有し、目標電力入力手段５により電力消費機器２の利用可能な目標電力（例：９ｋＷ）を入力し、電力調整手段８は一定時間ごとに運転時の消費電力合計（例：１１０ｋＷ）が目標電力（例：１００ｋＷ）になるように信号線３を介して複数の電力消費機器２の該当する機器へ運転停止信号を送り、順次発停あるいは能力制御を行い、目標電力になるように電力消費機器２を発停あるいは能力制御するものである。
【００２１】
この制御中に、電力計測異常検知手段７による電力量の送信が停止した場合には、電力調整タイマーにより運転中の現在運転中の電力消費機器２を運転停止又は消費電力を下げるように制御を行い、タイマーが解除された場合にはタイマー制御前の状態に復帰する。
【００２２】
遠隔制御装置１は、電力計測手段４、電力計測異常検知手段７、電力調整手段８、電力調整タイマー９から構成されている。以降この動作を繰り返す。
【００２３】
以上のように構成された遠隔制御装置は、電力計測手段４により計測された複数台の電力消費機器２の消費電力が、目標電力入力手段５により入力された目標電力になるように複数台の電力消費機器２を、一定時間ごとに電力調整制御を行うが、電力計測検知手段７により電力計測手段からの電力量の送信が停止された場合には、電力計測手段４からの電力量による電力調整制御を一時中止し、電力調整タイマー９により一定時間ごとに運転中の消費電力機器２の運転制御を行うものである。したがって、通常時における電力調整制御中に、電力計測手段からの電力量の送信が途切れた場合でも、目標電力を超過することなく運転制御が継続されるのである。
【００２４】
（実施の形態３）
図３は、本発明の実施の形態３における遠隔制御装置のブロック図である。同図において、図１と同じ構成要素については同じ符号を用い説明を省略する。
【００２５】
電力調整スケジュール手段１０を有し、複数台の電力消費機器２を、前記目標電力入力手段５で設定された目標電力となるように一定時間ごとに電力調整制御を行うが、電力計測異常検知手段７により電力計測手段からの電力量が送信停止した場合、あらかじめスケジュール設定された運転制御スケジュールに従い消費電力機器を運転制御する。
【００２６】
その後、電力計測異常検知手段７による電力計測が復帰した場合は、電力計測手段による目標電力制御を行う。
【００２７】
遠隔制御装置１は、前記電力計測手段４、前記目標電力入力手段５、前記電力計測異常検知手段７、前記電力調整手段８、前記電力調整スケジュール手段１０から構成されている。以降この動作を繰り返す。
【００２８】
以上のように構成された遠隔制御装置は、電力計測手段４により計測された複数台の電力消費機器２の消費電力が、目標電力入力手段５により入力された目標電力になるように複数台の電力消費機器２を制御するが、前記電力計測異常検知手段７より、電力計測が中断された場合でも、予め設定させた運転スケジュールにより電力調整運転を行うのである。
【００２９】
従って、通常時における電力調整制御中に、電力計測手段からの電力送信が中断したときでも、代替え運転制御が可能となり、確実に目標電力の調整制御は継続される。
【００３０】
尚、前記電力調整スケジュール手段への入力はパソコンの他、キー入力手段とマウス入力手段とタッチパネル入力手段のいずれかと画面を持つ入力手段を使用しても良い。
【００３１】
（実施の形態４）
図４は、本発明の実施の形態４における遠隔制御装置のブロック図である。同図において、図１と同じ構成要素については同じ符号を用い説明を省略する。
【００３２】
電力調整手段８は、複数台の電力消費機器２を、目標電力入力手段５で設定された目標電力となるように一定時間ごとに信号線３を介し、順次電力消費機器２の発停あるいは能力制御により電力調整制御を行うが、電力計測異常検知手段７により電力計測手段４からの電力量の送信が中断されたと判断された場合には、消費電力設定手段１２にて消費電力機器２ごとに設定された消費電力から現在運転中の消費電力機器２より電力量を算出することにより電力計測手段４からの電力量の代りとし、目標電力となるように電力消費機器２の運転制御を行う。遠隔制御装置１は、前記電力計測手段４、前記目標電力入力手段５、前記電力計測異常検知手段７、前記電力調整手段８、前記消費電力設定手段１２から構
成されている。以降この動作を繰り返す。
【００３３】
以上のように構成された遠隔制御装置は、電力調整制御が電力計測手段からの電力量の送信が中断されたと判断された場合でも、消費電力設定手段にて設定された消費電力から電力量を算出して、目標電力を超えないように消費電力機器の運転制御を行うので、電力計測手段からの電力量が送信しても目標電力を制御を継続することができるのである。  
【００３４】
（実施の形態５）
図５は、本発明の実施の形態５における遠隔制御装置のブロック図である。
【００３５】
電力調整手段８は、複数台の電力消費機器２を、目標電力入力手段５で設定された目標電力となるように一定時間ごとに信号線３を介し、順次電力消費機器２の発停あるいは能力制御により電力調整制御を行うが、電力計測異常検知手段７により電力計測手段４からの電力量の送信が中断されたと判断された場合には、運転台数制限手段１３にて消費電力機器２の運転台数が予め決められた運転台数の範囲となるように制御することにより、目標電力の範囲となるように電力消費機器２の運転制御を行う。遠隔制御装置１は、前記電力計測手段４、前記目標電力入力手段５、前記電力計測異常検知手段７、前記電力調整手段８、前記運転台数制限手段１３から構成されている。以降この動作を繰り返す。
【００３６】
以上のように構成された遠隔制御装置は、電力調整制御中に電力計測手段からの電力量の送信が中断された場合でも、運転台数制限手段にて設定された消費電力機器の運転台数を制限することで目標電力を超えないように消費電力機器の運転制御を行うので、電力計測手段からの電力量が送信停止しても目標電力を制御を継続することができるのである。
【産業上の利用可能性】
【００３７】
以上のように、本発明にかかる遠隔制御装置は、電力消費機器の電力調整制御中に電力計測手段からの電力量の送信が停止した場合にも、消費電力機器の運転制御を行うことにより、目標電力の超過を防止することが可能となるので、電力消費機器の電力を調整するデマンド監視装置等の用途にも応用できる。
【図面の簡単な説明】
【００３８】
【図１】本発明の実施の形態１及び４及び５におけるブロック図
【図２】本発明の実施の形態２におけるブロック図
【図３】本発明の実施の形態３におけるブロック図
【図４】本発明の実施の形態４におけるブロック図
【図５】本発明の実施の形態５におけるブロック図
【図６】従来の遠隔制御装置におけるブロック図
【符号の説明】
【００３９】
１  遠隔制御装置
２  電力消費機器
３  信号線
４  電力計測手段
５  目標電力入力手段
６  電力調整記憶手段
７  電力計測異常検知手段
８  電力調整手段
９  電力調整タイマー
１０  電力調整スケジュール手段
１１  スケジュール設定手段
１２  消費電力設定手段
１３  運転台数制限手段
【図１】
2005192316.tif 000003
【図２】
2005192316.tif 000004
【図３】
2005192316.tif 000005
【図４】
2005192316.tif 000006
【図５】
2005192316.tif 000007
【図６】
2005192316.tif 000008